(57)【要約】      （修正有）【課題】ネットワークに接続された省電力モード中の画像形成装置に対して、定期的なコンピュータ端末からステータス要求を行う場合に、ステータス要求から要求の返信までにかかる時間を少なくすることが可能な画像形成装置を提供する。【解決手段】画像形成装置内のネットワーク部２０８内に電源管理テーブル記憶領域３０９を有し、画像形成装置が省電力モード中に同一時間帯に所定の回数だけ、通常モードに移行するパケットをコンピュータ端末から受け取ったならば、パケットを受け取った時間帯から、画像形成装置が通常モードに移行する時間分だけさかのぼった時間における電源管理テーブル内の内容を省電力モードから通常動作モードに書き換える。【選択図】図３
2015215812.tif 000002
【特許請求の範囲】
【請求項１】
コンピュータ端末（１０１）とネットワーク（１０３）を介して通信可能であって、
前記コンピュータ端末（１０１）から送信されたパケットを受信して前記受信したパケットに対する応答処理を実行するパケット処理手段（２０８）と、
データ処理装置（１０２）を制御する制御手段（２００）と、
前記制御手段（２００）及び前記パケット処理手段（２０８）の双方に電力を供給する通常モード、又は前記パケット処理手段（２０８）に電力を供給しつつ前記制御手段（２００）へ供給する電力を前記通常モードより低減する省電力モードのいずれかの電力モードで電力を供給する電力供給手段（２１３）を有するデータ処理装置（１０２）において、
前記パケット処理手段（２０８）が制御手段（２００）の電力モードを制御する情報（３０）を有し、前記パケット処理手段（２０８）は該情報（３０９）に基づいて電力供給手段（２１３）の前記制御手段（２００）への通常モードと省電力モードの電力制御を行うことを特徴とするデータ処理装置。
【請求項２】
請求項１におけるパケット処理手段（２０８）は、前記パケット処理手段（２０８）が参照可能な第１の記憶領域（３０６）、第２の記憶領域（３０７）、第３の記憶領域（３０８）、第４の記憶領域（３０９）を有する記憶手段（３０５）及び、時間を管理する時計機能（３１０）を有し、
前記パケット処理手段（２０８）は、前記電力供給手段（２１３）が省電力モードにおいて、前記パケット処理手段（２０８）が受信したパケットが第一の記憶領域（３０６）に記憶されているパケットと一致、又は、第一の記憶領域（３０６）に記憶されているパケットと一致せず、第二の記憶領域（３０７）に記憶されているパケットとも一致しなかった場合には、前記電力供給手段（２１３）に対して通常モードによる電力供給の指示を出す（Ｓ４０７）ことを特徴とするデータ処理装置。
【請求項３】
請求項２における前記パケット処理手段（２０８）は、前記電力供給手段（２１３）が省電力モードにおいて、前記パケット処理手段（２０８）が受信したパケットが第一の記憶領域（３０６）に記憶されているパケットと一致せず、かつ、第二の記憶領域（３０７）に記憶されているパケットと一致した場合には、電力供給モードを省電力モードに維持したままで、第３の記憶領域（３０８）に記憶されている受信したパケットに対応する応答データの応答処理（Ｓ４０４）を行うことを特徴とするデータ処理装置。
【請求項４】
請求項２及び請求項３における前記パケット処理手段（２０８）が有する第４の記憶領域（３０９）には時間毎における電力供給手段（２１３）の制御パターンが記憶されており、前記パケット処理手段（２０８）は時計機能（３１０）から得られる時間に対応する第４の記憶領域（３０９）に記憶されている電力モードを、前記電力供給手段に対して指示を出すことを特徴とするデータ処理装置。
【請求項５】
請求項２においてパケット処理手段（２０８）によって、前記電力供給手段（２１３）に対して通常モードによる電力供給の指示が出された時、前記第４の記憶領域（３０９）に記憶されているパケットを受信した時間に対応する強制起動カウンタ（５０３）を“１”だけインクリメントすることを特徴とするデータ処理装置。
【請求項６】
請求項２においてパケット処理手段（２０８）によって、前記電力供給手段（２１３）に対して通常モードによる電力供給の指示が出された時、パケット受信時間に対応する前回のパケット受信日時（５０４）が所定日時以内であった場合、前記第４の記憶領域（３０９）に記憶されているパケットを受信した時間に対応する強制起動カウンタ（５０３）を“１”だけインクリメントし、所定日時以上であった場合には、強制起動カウンタ（５０３）の値を“０”にし、パケット受信日時（５０４）の値を消去することを特徴とするデータ処理装置。
【請求項７】
請求項５又は請求項６においてパケット処理手段（２０８）によって、強制起動カウンタ（５０３）がインクリメントされた時、強制起動カウンタ（５０３）の値が予め決められた値になったならば、前記第４の記憶領域（３０９）に記憶されている予め決められた値と同じになった強制起動カウンタ（５０３）に対応する電源制御状態（５０２）の状態を省電力モードから通常モードに変更することを特徴とするデータ処理装置。
【請求項８】
請求項７においてパケット処理手段（２０８）によって前記第４の記憶領域（３０９）に記憶されている電源制御状態（５０２）の状態を省電力モードから通常モードに変更する際、データ処理装置が省電力モードから通常モードに移行するのにかかる時間分だけさかのぼった箇所までの源制御状態（５０２）の状態を省電力モードから通常モードに変更すことを特徴とするデータ処理装置。
【発明の詳細な説明】
【技術分野】
【０００１】
本発明は、データ処理装置及びその制御方法に関するものである。
【背景技術】
【０００２】
昨今、複数台のネットワークに接続された画像形成装置に対して、該画像形成装置をコンピュータ端末により一元管理するシステムが普及してきている。該コンピュータ端末は、画像形成装置に対して、所定の間隔でアクセスを行い、各画像形成装置の詳細情報を収集し、消耗品等が予め決められた値を下回っていたならば、自動的に発注作業等を行うものである。
【０００３】
従来、画像形成装置には省電力を目的として、ユーザが予め設定した時間に、起動及び省電力モードへの移行を自動的に行う機能が備わっている。
【０００４】
ここで、省電力モードとは、画像形成装置のもつ複数の電力状態の一状態を指し、通常状態よりも消費電力が低い状態のことを示す。画像形成装置は、多くの場合、主要制御部への電力供給を停止することで省電力モードにおける低消費電力を実現している。
【０００５】
ここで画像形成装置が省電力モードに移行している時に、コンピュータ端末から詳細情報収集のアクセスがなされた場合には、画像形成装置は省電力モードから通常の動作を行えるモードに移行し、該情報をコンピュータ端末に返す必要がある。
【０００６】
このとき、省電力モードから通常の動作モードに移行するには、画像形成装置内の各箇所のイニシャライズ等によって、いくらかの時間がかかり、コンピュータ端末からの情報収集のリクエストに対して、素早く返信することができない。
【０００７】
特許文献１では、ジョブの履歴は統計を元に、使用頻度の高いホストを特定し、ステータス要求が使用頻度の高いホストか否かで、該ホストからのアクセス時における省電力モードへの時間制御について開示している。
【先行技術文献】
【特許文献】
【０００８】
【特許文献１】特開２００６−３３４９３１号公報
【発明の概要】
【発明が解決しようとする課題】
【０００９】
しかしながら、特許文献１における画像形成装置が省電力モード中にホストからのステータス要求がなされた場合でも、常に通常の動作モード状態への移行が必要になり、コンピュータ端末へのステータスの返信に時間がかかるものである。
【課題を解決するための手段】
【００１０】
本発明に係るデータ処理装置の構成は、
コンピュータ端末（１０１）とネットワーク（１０３）を介して通信可能であって、
前記コンピュータ端末（１０１）から送信されたパケットを受信して前記受信したパケットに対する応答処理を実行するパケット処理手段（２０８）と、
データ処理装置（１０２）を制御する制御手段（２００）と、
前記制御手段（２００）及び前記パケット処理手段（２０８）の双方に電力を供給する通常モード、又は前記パケット処理手段（２０８）に電力を供給しつつ前記制御手段（２００）へ供給する電力を前記通常モードより低減する省電力モードのいずれかの電力モードで電力を供給する電力供給手段（２１３）を有するデータ処理装置（１０２）において、
前記パケット処理手段（２０８）が制御手段（２００）の電力モードを制御する情報（３０）を有し、前記パケット処理手段（２０８）は該情報（３０９）に基づいて電力供給手段（２１３）の前記制御手段（２００）への通常モードと省電力モードの電力制御を行うことを特徴とする。
【発明の効果】
【００１１】
本発明によれば、画像形成装置が省電力モード中においても、定期的にコンピュータ端末からのステータス要求に対して、予め通常動作モード状態に移行しておくことができ、素早く返信を行うことかできる。
【図面の簡単な説明】
【００１２】
【図１】本発明の実施形態における情報処理システムの全体図である。
【図２】本発明の実施形態における画像形成装置（１０２）のハードウェアブロック図である。
【図３】ネットワーク部（２０８）の構成を示すブロック図である。
【図４】実施形態１におけるネットワーク部（２０８）のパケット受信時のフローを示すフローチャートである。
【図５】実施形態１におけるネットワーク部（２０８）が有する画像形成装置１０２の電源管理テーブルを示す図である。
【図６】実施形態１における省電力モード中にステータス要求がなされた場合の、ネットワーク部（２０８）が有する電源管理テーブルの変化を示す図である。
【図７】実施形態１における省電力モード中に同一時間に所定回数のステータス要求がなされた場合の、ネットワーク部（２０８）が有する電源管理テーブルを示す図である。
【図８】実施形態１におけるネットワーク部（２０８）の電源管理のフローを示すフローチャートである。
【図９】本発明の実施形態におけるコンピュータ端末（１０１）のハードウェアブロック図である。
【図１０】本発明の実施形態２における電源管理テーブルをイニシャルするフローを示すフローチャートである。
【発明を実施するための形態】
【００１３】
以下、図面を参照して本発明の実施の形態を詳しく説明する。尚、以下の実施の形態は特許請求の範囲に係る発明を限定するものでなく、また実施の形態で説明されている特徴の組み合わせの全てが発明の解決手段に必須のものとは限らない。
【００１４】
［実施形態１］
まず、本発明に係る第一の実施形態について説明する。
【００１５】
図１は実施形態１における画像処理システム構成を示す図である。本画像処理システムはＰＣ（パーソナルコンピュータ）１０１、画像形成装置である画像形成装置（１０２）からなる。これらの各構成要素はネットワーク（１０３）を介して接続される。
【００１６】
図９は本実施例のＰＣ（１０１）のハードウェア構成図の一例である。本発明を制御するＣＰＵ（９０１）であり、ＣＰＵ（９０１）のワークエリアを提供するＲＡＭ（９０３，９０４）、ＰＣ（１０１）上で動作するアプリケーションプログラムを記憶する記憶装置（９０５）である。
【００１７】
さらに他機器とネットワーク（１０３）による通信を行うネットワーク機能、ユーザからの入力を行うキーボード（９０６）、表示装置（９０７）を制御するデバイス制御機能（９０２）により構成されている。
【００１８】
図２は、画像形成装置（１０２）の構成を示すブロック図である。ＣＰＵ（２０１）を含む制御部（２００）は、画像形成装置（１０２）全体の動作を制御する。ＣＰＵ（２０１）は、ＲＯＭ（２０２）に記憶された制御プログラムを読み出して読取制御や送信制御などの各種制御処理を実行する。ＲＡＭ（２０３）は、ＣＰＵ（２０１）の主メモリ、ワークエリア等の一時記憶領域として用いられる。ＩＰ（２１２）は、前記ＲＡＭ（２０３）に保存された画像データに対して画像処理を施すものである。
【００１９】
プリンタＩ／Ｆ（２０６）は、プリンタ（２１０）と制御部（２００）とを接続する。プリンタ（２１０）で印刷すべき画像データはプリンタＩ／Ｆ（２０６）を介して制御部（２００）からプリンタ（２１０）に転送され、プリンタ（２１０）において記録媒体上に印刷される。
【００２０】
スキャナＩ／Ｆ（２０７）は、スキャナ（２１１）と制御部（２００）とを接続する。スキャナ（２１１）は、原稿上の画像を読み取って画像データを生成し、スキャナＩ／Ｆ（２０７）を介して制御部（２００）に入力する。
【００２１】
ネットワークＩ／Ｆ（２０８）は、制御部（２００）をＬＡＮ（１０３）に接続する。ネットワークＩ／Ｆ（２０８）は、ＬＡＮ（１０３）上の外部装置に画像データや情報を送信したり、ＬＡＮ（１０３）上の外部装置から各種情報を受信したりする。
【００２２】
電力供給手段（２１３）は、ネットワーク部（２０８）からの指示により、画像形成装置（１０２）が通常モードで動作する場合には、制御部（２００）に対して、電力の供給を行うものである。
【００２３】
図４は、ネットワーク部（２０８）の構成を示すブロック図である。
【００２４】
ネットワーク部（２０８）は、ＷＯＬパターン検出部３０１、代理応答パターン検出部３０２、代理応答パターン送信部（３０３）、データ転送処理部（３０４）、ＥＥＰＲＯＭ（３０５）（記憶手段）で構成される。
【００２５】
また、ＥＥＰＲＯＭ（３０５）は、ＷＯＬパターン記憶領域（３０６）、代理応答パターン記憶領域（３０７）、代理応答データ記憶領域（３０８）、電力管理テーブル記憶領域（３０９）という複数の記憶領域を有する。なお、ＥＥＰＲＯＭ（３０５）は、ネットワーク部（２０８）が認識可能なパケットを記憶する不揮発性のメモリであり、記憶内容が書換え可能である。
【００２６】
ＷＯＬパターン検出部（３０１）は、省電力モードで動作中に、ＬＡＮ（１０３）を介して受信したパケットがＥＥＰＲＯＭ（３０５）のＷＯＬパターン記憶領域に登録されているパケットパターンと一致するか否かを検出する。ＷＯＬパターン記憶領域３０６に登録されているパケットパターンは、ＷＯＬ（Ｗａｋｅ  Ｏｎ  ＬＡＮ）パケットと呼ばれるものである。
【００２７】
ＷＯＬパターン検出部（３０１）は、ＷＯＬパケットを検出すると、電力供給ライン（２１８）を介してＣＰＵ（２０１）等への電力供給を再開させるため、電源供給手段（２１３）に指示を出す。
【００２８】
代理応答パターン検出部（３０２）は、省電力モードで動作中に、ＬＡＮ（１０３）を介して受信したパケットがＥＥＰＲＯＭ（３０５）の代理応答パターン記憶領域に登録されているパケットパターンと一致するか否かを検出する。代理応答パターン記憶領域（３０７）に登録されているパケットパターンは、ＣＰＵ（２０１）への電力供給を再開させずに代理応答データ記憶領域（３０８）に記憶されている応答データを用いて受信したパケットに対する応答をするためのものである。代理応答パターン検出部（３０２）は、代理応答パターンを検出すると、検出した代理応答パターンに対応付けられた応答データを代理応答データ記憶領域（３０８）から読出す。そして、データ転送処理部（３０４）に代理応答データを、ＬＡＮ（１０３）を介してパケットの送信元に送信するよう指示を出す。なお、代理応答パターン検出部（３０２）は、代理応答パターンを検出しても、電力供給ライン（２１８）を介してＣＰＵ（２０１）等への電力供給を再開させるための指示を、電源供給手段（２１３）に出さない。従って、画像形成装置（１０２）は、代理応答パターンを受信して応答処理する際は、省電力モードから通常モードに復帰することなく、省電力モードを維持したまま応答処理を実行することができる。
【００２９】
電力管理テーブル記憶領域（３０９）は、図５に示すような、画像形成装置（１０２）における、所定単位毎の省電力モード／通常モードの動作モードを管理するテーブルが記憶されている。ネットワーク部（２０８）は時計機能部（３１０）から得られる時間の情報（５０１）とその時間に対応する画像形成装置（１０２）の状態（５０２）の情報から電源供給手段（２１３）に対して、電源モードの指示を出す。本フローを、図８を用いて詳細に説明する。
Ｓ８０１：画像形成装置１０２の主電源投入後、ＢｅｆｏｒｅＳｔａｔｕｓの状態を“Ｓｌｅｅｐ（省電力モード）”にイニシャライズする。
【００３０】
Ｓ８０２：時計機能部から現在の時間情報を得て、電力管理テーブル記憶領域に記憶されている対応する時間（５０１）のＳｔａｔｕｓ（５０２）が“Ｓｌｅｅｐ”であるか否かの判断をする。“Ｓｌｅｅｐ”であると判断されたならばＳ８０３に移行し、“Ｓｌｅｅｐ”でないと判断されたならばＳ８０６に移行する。
【００３１】
Ｓ８０３：ＢｅｆｏｒｅＳｔａｔｕｓが“ＷａｋｅＵｐ（通常モード）”であるか否かの判断を行う。ＢｅｆｏｒｅＳｔａｔｕｓが“ＷａｋｅＵｐ”であった場合には、Ｓ８０４に移行し、そうでない場合にはＳ８０５に移行する。
【００３２】
Ｓ８０４：通常モードから省電力モードへ移行をするために、電力供給手段に対して“Ｓｌｅｅｐ”の指示を出す。
【００３３】
Ｓ８０５：ＢｅｆｏｒｅＳｔａｔｕｓの状態を“Ｓｌｅｅｐ”にセットする。
【００３４】
Ｓ８０６：ＢｅｆｏｒｅＳｔａｔｕｓが“Ｓｌｅｅｐ（省電力モード）”であるか否かの判断を行う。ＢｅｆｏｒｅＳｔａｔｕｓが“Ｓｌｅｅｐ”であった場合には、Ｓ８０７に移行し、そうでない場合にはＳ８０８に移行する。
【００３５】
Ｓ８０７：省電力モードから通常モードへ移行をするために、電力供給手段に対して“ＷａｋｅＵｐ”の指示を出す
Ｓ８０８：ＢｅｆｏｒｅＳｔａｔｕｓの状態を“ＷａｋｅＵｐ”にセットする。
【００３６】
Ｓ８０９：所定時間ウェイト（待機）し、Ｓ８０２に移行する。
【００３７】
次に、本発明における詳細な省電力モード中に通常モードに移行するパケットを受信したときのフローについて説明する。
【００３８】
Ｓ４０１：ネットワーク部（２０８）がＬＡＮ（１０３）を介して、ＰＣ（１０１）から画像形成装置のステータスを要求するパケットを受信する。
【００３９】
Ｓ４０２：Ｓ４０１で受信したパケットが、ＷＯＬパケット又は代理応答できないパケットであるかの判断を行う。ここでＷＯＬパケットでなく、代理応答できるパケットである場合にはＳ４０３に移行し、それ以外の場合にはＳ４０５に移行する。ここでの受信したパケットがＷＯＬであるか否かは、ネットワーク部（２０８）内のＷＯＬパターン検出部３０１が行う。また、代理応答できるパケットであるか否かは、ネットワーク部（２０８）内の代理応答パターン検出部３０３が行う。
【００４０】
Ｓ４０３：ネットワーク部（２０８）は、代理応答パターンに対応する代理応答データを代理応答データ記憶領域３０８から読み出す。
【００４１】
Ｓ４０４：ネットワーク部（２０８）は、代理応答パターンに対する応答処理を実行する。代理応答データ記憶領域３０８に記憶された情報を基に応答パケットを生成する。そして、ネットワーク部（２０８）は、応答パケットをＰＣ（１０１）に送信し、ステップＳ４０１へ処理を進める。本ステップの応答処理においては、省電力モードを維持したままとすることができるので、ＣＰＵ１０１等へ電力を供給することによる電力消費が発生しない。
【００４２】
Ｓ４０５：画像形成装置が現在省電力モードであればＳ４０６に移行し、通常モードであるならばＳ４１1に移行する。
【００４３】
Ｓ４０６：ネットワーク部（２０８）は、時計機能部（３１０）より現在の時間を取得し、パケットを受信した時間をパラメータＲｘＰｃｔＴｉｍｅに記憶する。
【００４４】
Ｓ４０７：ネットワーク部（２０８）は、電源供給手段（２１３）に対して通常モードへの移行を指示し、電源供給手段（２１３）は制御部（２００）に対して電源の供給を行う。
【００４５】
Ｓ４０８：ネットワーク部（２０８）は、電源管理テーブル（図５）におけるパケットを受信した時間に対応する強制起動回数カウンタＷＵ＿Ｎｕｍ５０３を“１”だけインクリメントする。
【００４６】
この時、前回受信した日付（５０４）から所定の期間が超えていた場合には、インクリメントせずに、強制起動カウンタの値を“０”及び前回受信した日付（５０４）の値をイニシャルに戻す。
【００４７】
Ｓ４０９：ネットワーク部（２０８）は、電源管理テーブル（図５）における強制起動回数カウンタＷＵ＿Ｎｕｍ５０３の値を全て検査し、本カウンタ値が予め決められた値になっていたならばＳ４１０に移行し、そうでない場合にはＳ４１１に移行する。
【００４８】
Ｓ４１０：ネットワーク部（２０８）は、電源管理テーブル（図５）におけるパケットを受信した時間に対応するステータス（５０２）を“Ｓｌｅｅｐ”から“ＷａｋｅＵｐ”に書き換える。さらに、画像形成装置（１０２）の省電力モードから通常モードへの移行にかかる時間分さかのぼったステータス（５０２）においても、“Ｓｌｅｅｐ”から“ＷａｋｅＵｐ”に書き換え、紐付け欄（５０５）に対してチェックする。
【００４９】
Ｓ４１１：ネットワーク部（２０８）は、受信したパケットに対する応答を行うため、該パケットを制御部（２００）に伝達し、制御部（２００）からのレスポンスがあった後に、パケットを送信してきたＰＣ（１０１）に対して返信をする。
【００５０】
次に具体的に、省電力モード中の同一単位時間内に二日連続して通常モードに移行するパケットを受信した場合を例にして図６及び図７を元に説明をする。
【００５１】
ＰＣ（１０１）から画像形成装置（１０２）のステータス要求のパケットが２０１１年９月２０日２３時４６分に発行された場合、電源管理テーブルの強制起動カウンタの値をＳ４０８において“１”だけインクリメントし、日付を記載する（６０１）。
【００５２】
次に２０１１年９月２１日２３時４７分に発行された場合、電源管理テーブルの強制起動カウンタの値をＳ４０８において“１”だけインクリメントし、パケットを受信した日付を記載する（６０２）。
【００５３】
次にＳ４０９において、電源管理テーブルの２３：４５の強制起動回数が予め決められている値である“２”となっていることから、電源管理テーブルの２３：４５のステータスを“Ｓｌｅｅｐ”から“ＷａｋｅＵｐ”に書き換える（７０１）。そして、画像形成装置１０２の“Ｓｌｅｅｐ”から“ＷａｋｅＵｐ”の時間が５分であると仮定した場合、２３：４０のステータスにおいても、“Ｓｌｅｅｐ”から“ＷａｋｅＵｐ”に書き換えを行う（７０２）。その際、２３：４５の強制起動に関連付けて変更されたことを記載する紐付け欄（７０３）をチェックする。
【００５４】
こうして、図７のような電源管理テーブルが再生成され、このテーブルに基づいて画像形成装置（１０２）は図８のフローに基づいて画像形成装置（１０２）の電源管理を行うものである。
【００５５】
以上の説明により、二日間連続して同一時間に画像形成装置（１０２）を起動するパケットを受信した際には、翌日も同一時間に同パケットが送信されることを想定し、予め画像形成装置（１０２）を通常モードにしておくことができるものである。これにより、翌日以降のＰＣ（１０１）からの同パケットに対するレスポンスを素早く行うことができる。
【００５６】
尚、所定日数のうちに所定回数同一の時間にパケットを受信した場合においても、電源管理テーブルの書き換え（Ｓ４１０）をおこなってもよい。
【００５７】
［実施形態２］
同一時間に連続した日時に画像形成装置（１０２）に対して強制起動がなされた場合の電源管理テーブルの書き換えのフローについては、実施形態１ですでに説明をした。
【００５８】
しかしながら、実施形態１で説明した電源管理テーブルの書き換え後に、同一時間にＰＣ（１０１）からの強制起動がなされるパケットの受信がなくなる恐れもある。その際には、省電力モード中において無駄な通常モードへの移行がなされることになり、画像形成装置（１０２）においては、無駄な電力を消費することになる。
【００５９】
よって、ネットワーク部（２０８）は、図１０に示すフローチャートに従って、毎日定時刻に電源管理テーブルの精査を行い、定期的にアクセスの無くなった箇所を“ＷａｋｅＵｐ”から“Ｓｌｅｅｐ”に書き換えるものである。以下に図１０のフローチャートを詳細に説明する。
【００６０】
Ｓ１００１：ネットワーク部（２０８）は、時計機能部（３１０）より時間を取得し毎時０：００になったら、Ｓ１００２に移行する。
【００６１】
Ｓ１００２：ネットワーク部（２０８）は、時計機能部（３１０）より０：００時点の日付を取得する。本実施形態では２０１１年９月２２日とする。
【００６２】
Ｓ１００３：変数ｓｅｒｃｈＴｉｍｅに初期値である０：００を代入する。
【００６３】
Ｓ１００４：電源管理テーブルの管理時間（５０１）のｓｅｒｃｈＴｉｍｅに対応する最終アクセス日付が初期値である＊＊＊＊．＊＊．＊＊であればＳ１００７に移行し、そうでなければＳ１００５に移行する。
【００６４】
Ｓ１００５：電源管理テーブルの管理時間（５０１）のｓｅｒｃｈＴｉｍｅに対応する最終アクセス日付が、昨日（ｎｏｗＤａｔａ  −１）の値であればＳ１００７に移行し、そうでなければＳ１００６に移行する。
【００６５】
Ｓ１００６：電源管理テーブルの管理時間（５０１）のｓｅｒｃｈＴｉｍｅに対応する強制起動回数を“０”に初期化するとともに、最終アクセス日付も“＊＊＊＊．＊＊．＊＊”に初期化する。
【００６６】
Ｓ１００７：変数ｓｅｒｃｈＴｉｍｅを電源管理テーブルが管理する時簡単位分だけ加算する。本実施形態では０：０５とする。
【００６７】
Ｓ１００８：変数ｓｅｒｃｈＴｉｍｅが“２４：００”であれば本フローを終了し、そうでなければＳ１００４に移行する。
【００６８】
以上の説明により、定期的に送られてきた強制起動のパケットが来なくなった場合にでも、電源管理テーブルの情報を書き換えることで、画像形成装置（１０２）の無駄な省電力モードから通常モードへの移行をなくすことができるものである。
【００６９】
尚、所定日数のうちに所定回数同一の時間にパケットを受信しなかった場合において、電源管理テーブルの書き換え（Ｓ１００６）をおこなってもよい。
【符号の説明】
【００７０】
１０１  コンピュータ端末、１０２  画像形成装置、１０３  ＬＡＮ
【図１】
2015215812.tif 000003
【図２】
2015215812.tif 000004
【図３】
2015215812.tif 000005
【図４】
2015215812.tif 000006
【図５】
2015215812.tif 000007
【図６】
2015215812.tif 000008
【図７】
2015215812.tif 000009
【図８】
2015215812.tif 000010
【図９】
2015215812.tif 000011
【図１０】
2015215812.tif 000012